(57)【特許請求の範囲】
【請求項１】
薄板状の磁性体からなるコアシート（２）を複数層積み重ねて構成され、上下に層状に重ねられた前記コアシート（２）がコアシート自体に形成された複数のかしめ手段（３）によって結合されている積層鉄心（１）の製造方法であって、
前記かしめ手段（３）は、前記コアシート（２）から打ち抜いて折曲形成されたかしめ部（５）と、このかしめ部（５）を打ち抜くことによって形成された孔部（６）とを有しており、
前記かしめ部（５）は、全体として矩形状を呈する一対の舌片（５ａ、５ｂ）で構成され、
この一対の舌片（５ａ、５ｂ）は、各舌片が一方の端部である根元部分（５１）で前記コアシート（２）に繋がっていると共に、他方の端部である先端部分（５２）にかけて前記コアシート（２）から切り離され、折曲形成されることにより観音開き状に対向しており、
前記孔部（６）は、前記一対の舌片（５ａ、５ｂ）を相互に画することなく収容する単一の開口として構成されており、
上下に層状に重ねられた前記コアシート（２）は、上層側のコアシート（２）の舌片（５ａ、５ｂ）が、下層側のコアシート（２）の孔部（６）に嵌入され、下層側のコアシート（２）のかしめ手段（３）に圧入されることにより結合しており、かつ、
前記舌片（５ａ、５ｂ）は、先端部分（５２）が根元部分（５１）より薄く展延されて圧入されていることを特徴とする積層鉄心の製造方法。  
【請求項２】
請求項１に記載の積層鉄心（１）の製造方法において、
前記舌片（５ａ、５ｂ）は、根元部分（５１）から先端部分（５２）にかけて幅が大きくなるテーパ形状をなしており、
前記孔部（６）は、菱形状をなしていることを特徴とする積層鉄心の製造方法。  
【請求項３】
請求項１または２に記載の積層鉄心（１）の製造方法において、
この積層鉄心（１）には、巻線（Ｄ）が装着されるものであり、
前記かしめ手段（３）は、前記コアシート（２）において前記巻線（Ｄ）が装着されない箇所（２ｃ）に配設されていることを特徴とする積層鉄心の製造方法。
【請求項４】
請求項３に記載の積層鉄心（１）の製造方法において、
この積層鉄心（１）は、長尺状の前記コアシート（２）を螺旋状に複数巻回、積層して円筒状に形成された巻形鉄心（１）であり、
前記コアシート（２）は、内周側に前記巻線（Ｄ）を装着する複数の突出部（２ａ）、外周側に前記突出部（２ａ）を環状に連結する連結部（２ｃ）をそれぞれ有しており、
前記かしめ手段（３）は、前記連結部（２ｃ）において円周方向に展開して配設されていることを特徴とする積層鉄心の製造方法。
【発明の詳細な説明】
【技術分野】
【０００１】
本発明は、例えば自動車用交流発電機のごとき回転電機の固定子鉄心として好適な積層鉄心の製造方法に関する。
【背景技術】
【０００２】
(従来の技術）
従来より、この種の積層鉄心およびその製造方法としては、種々な積層構造やその積層構造を効率的に実現するための製造方法が開発され、実用に供されてきた。その基本的な積層構造は、薄板状の磁性体からなるコアシートを複数層積み重ね、上下に層状に重ねられたコアシートをコアシート自体に形成された複数のかしめ手段によって結合して積層鉄心とするものであり、当該積層鉄心を例えば上記固定子鉄心のような円筒状巻形鉄心用として製造するに際しては、長尺状のコアシートにあらかじめかしめ手段を加工しておき、このコアシートを螺旋状に巻回、積層して円筒状の積層コアを形成し、上下層のコアシートをかしめ手段にて相互に結合する方法が採用されている。
【０００３】
ここで、重要なのは、積層コアの強度、つまり各層のコアシートを強固に結合するために、かしめ手段を如何に工夫するかであり、目下のところ、打ち抜きにより折曲形成した舌片とその打ち抜き孔とを利用して相互に結合する手法が好適とされている。そして、各箇所のかしめ手段には、１つの舌片を設けているのが一般的であるが、舌片の数を増やせば結合強度が向上させ得るとの着想から、強度向上の有効策として、一箇所に一対（２つ）の舌片を設けるかしめ手段も検討されている（例えば、特許文献１参照）。
【０００４】
（従来技術の問題点）
しかしながら、特許文献１に記載のものは、図９に示すように、積層コアＱの各コアシートＲに対し、かしめ手段ＳＨを設けるにあたり、一対の舌片Ｓ１、Ｓ２をハの字状に打ち抜き、同時に一対の打ち抜き孔部Ｈ１、Ｈ２を形成して、一対の舌片Ｓ１、Ｓ２間に切り残し部分Ｔを設ける構成であるが、舌片を増やすことによってかしめ手段ＳＨの占有領域Ｗが増大し、それだけ積層コアＱの有効磁路面積を減らすことになるため、積層鉄心の磁気特性を犠牲にする割には強度向上効果をさほど期待することができない。
【０００５】
その主因としては、次のようなことが考えられる。
第１に、かしめ手段ＳＨの占有領域Ｗが同一面積であっても、一対の舌片Ｓ１、Ｓ２と切り残し部分Ｔとの比率により、各舌片Ｓ１、Ｓ２の有効長さが制約される。
第２に、一対の舌片Ｓ１、Ｓ２を例えばかしめ工具によってかしめ（押圧変形させる）ようとすると、一対の舌片Ｓ１、Ｓ２を同時に押圧変形させるためには一対の孔部Ｈ１、Ｈ２に二股状の特殊なかしめ工具を挿入することになるが、かくしても、かしめ工具のストロークが切り残し部分Ｔとの干渉によって制約され、各舌片Ｓ１、Ｓ２を充分に展延（圧延）することができない。    
【０００６】
もっとも、後者（第２）の不具合は、一対の舌片Ｓ１、Ｓ２を片側ずつ個別にかしめることによって解消することも考えられるが、積層コアＱに歪が生じるという品質上の問題を招く虞があるほか、製造工数が増える、製造装置が複雑になるなどのコスト上の問題が生じ、実用的ではない。
【先行技術文献】
【特許文献】
【０００７】
【特許文献１】実用新案登録第３０４６０８４号公報
【発明の開示】
【発明が解決しようとする課題】
【０００８】
一方、近年、回転電機にはますますの小型高性能化、低コスト化が追求される中、その中枢部品である積層鉄心においても、優れた特性を有する薄肉の磁性板が採用される傾向にあることを視野に入れながら、限られたかしめ手段の占有領域を有効活用して高結合強度の確保とコスト低減を図ることが必須の課題であり、高結合強度の積層コアを有する積層鉄心と当該積層鉄心を安価に製造する方法の実現が切望されている。
【０００９】
本発明は、上記のごとき課題に鑑みてなされたもので、かしめ手段の占有領域を増大することなく、積極的にかつ充分にかしめることができるかしめ手段によりコアシート間の結合強度を向上させて、高結合強度の積層コアを有する積層鉄心を得ると共に、かしめ手段を効率的にかしめて当該積層鉄心を安価に製造できる製造方法を提供することを目的とする。
【課題を解決するための手段】
【００１０】
請求項１に記載の発明（積層鉄心の製造方法）によれば、コアシートに形成されたかしめ手段（一対の矩形状舌片および孔部からなる）に特徴を有している。コアシートから打ち抜いて折曲形成された一対の矩形状舌片は、各舌片が一方の端部である根元部分でコアシートに繋がっていると共に、他方の端部である先端部分にかけてコアシートから切り離され、折曲形成されることにより観音開き状に対向している。また、この一対の舌片を打ち抜くことによって形成された孔部は、一対の舌片を相互に画することなく収容する単一の開口として構成されている。
そして、上下に層状に重ねられたコアシートは、上層側のコアシートの舌片が、下層側のコアシートの孔部に嵌入され、かつ下層側のコアシートのかしめ手段に圧入されることにより結合している。また、一対の舌片は、先端部分が根元部分より薄く展延されて圧入されていることを特徴としている。
【００１１】
上記製造方法によれば、かしめ手段を、一対の観音開き状に対向する舌片とその抜き孔をそのまま活用できる単一開口の孔部とで構成することにより、かしめ手段の占有領域全域を最大限に有効活用して舌片を形成することができるため、有効長の長い舌片を確保することができる。また、孔部は、一対の舌片を相互に画することなく収容する単一の開口として構成されているため、一対の舌片を同時にかつ充分に圧入することができ、かしめ手段によって高い結合強度を確保することができる。
【図面の簡単な説明】
【００１５】
【図１】本発明の製造方法による積層鉄心を適用する自動車用交流発電機を模式的に示すもので、（ａ）は交流発電機の全体構成を示す半断面図、（ｂ）は（ａ）のＡ−Ａ断面に沿って固定子鉄心単体の形態を示す上半部分の正面図である（実施例１）。
【図２】本発明の製造方法による積層鉄心の要部を示すもので、（ａ）は平面図、（ｂ）は（ａ）のＢ−Ｂ断面図である（実施例１）。
【図３】本発明の積層鉄心の製造方法における基本的な製造工程を工程順に示した模式図である（実施例１）。
【図４】図３の第１工程の説明に供するコアシートの一実施例を示すもので、（ａ）は平面図、（ｂ）は（ａ）のＣ部（かしめ手段部分）の拡大平面図、（ｃ）は（ｂ）のＸ−Ｘ断面図、（ｄ）はかしめ手段の第１工程での最終形態を示す断面図である（実施例１）。
【図５】図３の第２工程および第３工程の説明に供するもので、図４に示すコアシートを用いた場合の積層コアの製造過程を示すものであり、（ａ）は第２工程で得られる積層コアの縦断面図、（ｂ）、（ｃ）は第３工程で実施するかしめ工程の２つの態様を示す縦断面図である（実施例１）。
【図６】図３の第３工程の説明に供するもので、（ａ）、（ｂ）は第３工程で実施するかしめ工程の２つの態様を示す縦断面図である（実施例１）。
【図７】図３の第１工程の説明に供するコアシートの他の実施例を示すもので、（ａ）はかしめ手段部分の拡大平面図、（ｂ）は（ａ）のＹ−Ｙ断面図である（実施例２）。
【図８】図７に示すコアシートを用いた場合の第２工程および第３工程の説明に供するもので、（ａ）は第２工程で得られる積層コアの縦断面図、（ｂ）は第３工程で実施するかしめ工程を示す縦断面図である（実施例２）。
【図９】従来検討されているかしめ手段の説明に供するコアシートの断面図である（従来例）。
【発明を実施するための形態】
【００１６】
本発明を実施するための最良の形態を以下の実施例により詳細に説明する。
【実施例】
【００１７】
［実施例１］
この実施例１は、本発明の製造方法を自動車用交流発電機（オルタネータ）の固定子鉄心に適用したものである。
【００１８】
〔交流発電機の基本構成〕
図１（ａ）に示すように、交流発電機Ｇは、エンジンにより駆動される回転軸ＧＡに取付けられた回転子ＧＲと、ハウジングＧＨに担持された固定子ＧＳとを有しており、この固定子ＧＳには、固定子コイル（多相巻線）Ｄを装着する鉄心として、図１（ｂ）に示すごとき環状（円筒状）の固定子鉄心Ｅが用いられている。この固定子鉄心Ｅは、内周側に固定子コイルＤが巻かれる多数のティース（歯、突出部）Ｅ１とスロット（溝部）Ｅ２を交互に備え、外周側に各ティースＥ１を環状に連結する連結部Ｅ３を備える円筒状の積層鉄心（通称巻形鉄心）１で構成されている。連結部Ｅ３は、固定子コイルＤが巻かれない非巻線部分であり、ここに後で詳しく説明するかしめ手段３が設けられている。
【００１９】
〔積層鉄心１（固定子鉄心Ｅ）の基本構成〕
積層鉄心１は、図２（ａ）、（ｂ）に示すように、薄板状の磁性体からなるコアシート２が複数層積み重ねらており、上下に層状に重ねられたコアシート２がコアシート２自体に打ち抜き形成された複数のかしめ手段３によって結合されている円筒状積層コア４で構成されている。
【００２０】
各コアシート２は、内周側に固定子コイルＤが巻かれる多数の突出部（ティース）２ａと溝部（スロット）２ｂを交互に備え、外周側に各突出部２ａを環状に連結する連結部２ｃを備えており、非巻線部分である連結部２ｃには、占有領域Ｗを有するかしめ手段３が円周方向に展開した状態で複数設けられている。
本実施例では、連結部２ｃにかしめ手段３を設けるにあたり、特に、突出部２ａに対応する位置にかしめ手段３を配設している。
【００２１】
また、各かしめ手段３は、コアシート２から打ち抜いて折曲形成されたかしめ部５と、このかしめ部５を打ち抜くことによって形成された孔部６とを有しており、かしめ部５は、一対の舌片５ａ、５ｂで構成されている。
この一対の舌片５ａ、５ｂは、各舌片５ａ、５ｂが一方の端部である根元部分５１でコアシート２に繋がっていると共に、他方の端部である先端部分５２にかけてコアシート２から切り離され、折曲形成されることにより観音開き状に対向している。
また、孔部６は、一対の舌片５ａ、５ｂを相互に画することなく収容する単一の開口として構成されている。
なお、かしめ手段３の占有領域Ｗ、つまり円周方向の展開長さは、一方の舌片５ａの根元から他方の舌片５ｂの根元までの間、つまり、孔部６の円周方向の長さの全長に相当し、一対の舌片５ａ、５ｂは、この占有領域Ｗを最大限に有効活用し、有効長ができるだけ長くなるようにして設けられている。
【００２２】
そして、上下に層状に重ねられたコアシート２は、上層側のコアシート２の舌片５ａ、５ｂが、下層側のコアシート２の孔部６に嵌入され、かつ、圧入・圧延されることによって多層にわたって深く傾倒しながら充分な面積で下層側のコアシート２のかしめ手段３（舌片５ａ、５ｂおよび孔部６）に圧入している。したがって、各層のコアシート２相互間はかしめ手段３によって強固に結合しており、高い結合強度（高いかしめ強度）の積層コア４が得られる。
【００２３】
〔積層鉄心１の詳細構造およびその製造方法〕
以下、図２に示す積層鉄心１（固定子鉄心Ｅ）の特徴的な構造、とりわけ、かしめ手段３の詳細構造並びにその機能を、製造方法と共に説明する。
【００２４】
積層鉄心１は、図３に示すごとき、４つの工程に大別される製造工程に基づいて製造される。
図３において、まず、最初の第１工程では、長尺状（帯状）の磁性体からなる薄板状シート（例えば鋼板シート）１０をプレス装置１１、１２に順次投入し、長さ方向に２分割して２枚の連続したコアシート２を定寸プレス成形または連続プレス成形により作製するプレス工程が実施される。次に、第２工程として、このコアシート２を巻取り装置２０により螺旋状に巻回しながら、所定の巻回数（積層数）で定寸切断して積層コア４の原形４ａを形成する巻取り工程が実施され、つづいて、第３工程として、この積層コア４の原形４ａをかしめ装置３０に投入し、かしめ手段３を積極的にかしめる（押圧変形させる）ことにより各層のコアシート２が強固に結合された積層コア４を作製するかしめ工程が実施される。そして、最後に第４工程として、各種装置（図示せず）により積層コア４を所定形状に整形するための各種成形、バリ取りなどの仕上げ工程が実施される。なお、第３工程で高いかしめ強度の積層コア４が得られることから、第４工程では積層コア４の溶接工程（コアシート２間の接合）を省略することができる。
【００２５】
次に、上記の各製造工程の子細について、図４および図５に基づいて説明する。
〔第１工程（プレス工程）〕
この工程では、薄板状シート１０から２分割され、図４（ａ）〜（ｃ）に示すごとき形態を呈する長尺状のコアシート２が作製される。
コアシート２には、突出部２ａおよび溝部２ｂと共に、巻線が巻かれない非巻線部分をなす連結部２ｃにかしめ手段３が打ち抜き形成されている。ここで、長尺状のコアシート２を薄板状シート１０から２分割するにあたり、かしめ手段３を打ち抜き形成する前に分割する方法とかしめ手段３を打ち抜き形成した後に分割する方法が考えられ、いずれの方法でも採用することができる。
【００２６】
図４（ａ）に示すように、かしめ手段３は、突出部２ａに対応して設けられるものの、最終的な積層コア４の要求かしめ強度に応じ、突出部２ａと同数もしくは適宜の間隔をおいて所要数だけ設けられるものであって、本実施例では、図１（ｂ）のごとく、全周に３０°間隔で１２箇所に設けている。    
また、各かしめ手段３は、かしめ部５（一対の舌片５ａ、５ｂ）および孔部６（単一の開口）が、長さ方向に展開して配設され、占有領域Ｗを有している。
なお、かしめ手段３は、かしめ部５（一対の舌片５ａ、５ｂ）および孔部６（単一の開口）を径方向に展開して配設することもできる。
【００２７】
そして、一対の舌片５ａ、５ｂと孔部６との関係は、図４（ｂ）、（ｃ）に示すように、観音開き状に対向している各舌片５ａ、５ｂが、全体として矩形状をなしているものの、根元部分５１から先端部分５２にかけて幅が大きくなるテーパ形状を呈していると共に、その打ち抜き孔で形成される孔部６が、当然のことながら両端部分６１の幅が狭い菱形状を呈している。
【００２８】
特に、本実施例においては、一対の舌片５ａ、５ｂに対し、図４（ｄ）に示すように、各舌片５ａ、５ｂの先端部分５２を孔部６内に収納すると共に、各舌片５ａ、５ｂの根元部分５１から先端部分５２にかけて湾曲状に折れ曲がった曲がり部５３を形成している。
なお、図４（ｄ）に示す形態は、まず図４（ｂ）、（ｃ）に示す形態をプレス成形によって一旦形成した後、曲がり部５３を形成しながら先端部分５２を孔部６に押し込むようにプレス成形する２段階の工程で作製してもよいが、先端部分５２を半抜き（完全に打ち抜かずに板厚の半分程度にとどめる）しながら同時に曲がり部５３を成形することにより１段階の工程で作製することもできる。
【００２９】
かくして、第１工程が終了し、かしめ手段３の占有領域Ｗを最大限に活用して、有効長の長い一対のテーパ状舌片５ａ、５ｂを形成することができる。
打ち抜き代を除外すれば、一対の舌片５ａ、５ｂのトータルの最大長さを占有領域Ｗの長さと実質的に同じにすることができる。
【００３０】
〔第２工程（巻取り工程）〕
この工程では、長尺状のコアシート２を、上下に重なるコアシート２のかしめ手段３の位置が合致するように複数層螺旋状に巻回、積層して、所望厚さの積層コア４の原形４ａが作製される。具体的には、コアシート２を、図５（ａ）に示すように、曲がり部５３が重なるように巻回、積層していくわけであるが、この巻回過程において、各層を密に巻回しても、各舌片５ａ、５ｂは先端部分５２が孔部６に収容されており、図４（ｃ）のごとく飛び出した状態になっていないため、各舌片５ａ、５ｂが各層の巻回作業の障害となるようなことが抑制され、各層を円滑に巻回することができる。勿論、各舌片５ａ、５ｂが座屈したり、折損することも抑制できる。
【００３１】
〔第３工程（かしめ工程）〕  
この工程では、積層コア４の原形４ａが、図３に示すように、スロットガイド３１、ダイ（下型）３２、パンチ（上型）３３等から構成されるかしめ装置３０に投入され、スロットガイド３１で溝部２ｂをガイドしながら、ダイ３２とパンチ３３で各かしめ手段３をかしめることによって、積層コア４が作製される。
【００３２】
このかしめ工程で、本発明によれば、上層側の一対の舌片５ａ、５ｂを下層側の孔部６に圧入することによって各層のコアシート２を強固に結合し、高いかしめ強度を有する積層コア４が得られる。そのメカニズムの概要は、次の通りである。
図４（ｂ）、（ｃ）に示すように、一対の舌片５ａ、５ｂは、先端部分５２の幅が大きいテーパ形状をなしており、孔部６が菱形状をなしているため、かしめ面積の増大とかしめ力の増強を同時に図ることができる。即ち、第１に、テーパ相当分だけ舌片５ａ、５ｂの周囲長さが長く、表面積が増大することにより、かしめられる相手側の孔部６および舌片５ａ、５ｂとの接触面積（かしめ面積）が増大する。第２には、菱形形状の孔部６は、その両端部分６１が舌片５ａ、５ｂの幅の小さい根元部分５１の打ち抜き孔で形成され、幅が狭くなっているので、舌片５ａ、５ｂが、その先端部分５２を孔部６に圧入されることで根元部分５１を基点に先端部分５２が傾倒する結果、この幅の狭い孔部分に幅の広い先端部分５２側が圧入されていくわけで、この圧入代（嵌合代）に応じてかしめ力を増強できる。
さらに、各舌片５ａ、５ｂは、有効長が長いため、多層にわたって深く傾倒し、かつ圧延されて、順次、下層側のコアシート２のかしめ手段３に圧入する。
以上により、積層コア４には、高いかしめ強度を確保することができる。
【００３３】
具体的には、上記かしめ工程において、各舌片５ａ、５ｂの曲がり部５３を積層コア４の外側一方より内側に押し込みながら先端部分５２を根元部分５１側へ押圧、展延させる。その方法としては、図５（ｂ）に示すように、曲がり部５３の凸側を上向き（各舌片５ａ、５ｂの押圧開始側を上向き、押圧終了側を下向きとすると）に位置させた状態でかしめる第１の方法（凸側かしめ）と、図５（ｃ）に示すように、曲がり部５３の凹側を上向きに位置させた状態でかしめる第２の方法（凹側かしめ）のいずれかを選択採用することができる。
【００３４】
図５（ｂ）に示す第１の方法は、図６（ａ）に手順を示す通りで、積層コア４を、曲がり部５３の凸側が上向きになるようにしてダイ３２に載置し、押えパンチ３３ａでかしめ手段３の周辺を押さえ込みながら、圧入パンチ３３ｂで曲がり部５３を凸側から押圧すると共に、圧入パンチ３３ｂを孔部６に圧入していく方法である。
かかる方法によれば、各舌片５ａ、５ｂは、曲がり部５３の凸側が反対方向（凹側方向）に変形しながら、下向きの先端部分５２が根元側（円周方向）に向けて押圧され移動することにより、上層側の下向きの急傾斜角を持つ先端部分５２においては、押えパンチ３３ａとの互いの接触角度が傾斜するため、さらに根元側への押圧力が強まることで、上下層のコアシート２を隙間なく確実に圧入させることができる。
【００３５】
図５（ｃ）に示す第２の方法は、図６（ｂ）に手順を示す通りで、積層コア４を、曲がり部５３の凹側が上向きになるようにしてダイ３２に載置し、押えパンチ３３ａでかしめ手段３の周辺を押さえ込みながら、圧入パンチ３３ｂで曲がり部５３を凹側から押圧すると共に、圧入パンチ３３ｂを孔部６に圧入していく方法である。
かかる方法によれば、各舌片５ａ、５ｂは、曲がり部５３が凹側に沿って押し込まれながら、上向きの先端部分５２が根元側（円周方向）に向けて押圧され移動することにより、上層側の上向きの先端部分５２が反対方向に反転変形しながら緩く傾斜して展延するため、上層側の舌片５ａ、５ｂを下層側のかしめ手段３に対し広い面積で圧入させることができる。
したがって、いずれのかしめ方法を選択採用しても、良好な高かしめ強度を得ることができる。
しかも、孔部６は単一の開口であるため、単一の圧入パンチ３３ｂで一対の舌片５ａ、５ｂを同時にかしめることができ、かつ圧入パンチ３３ｂのストロークを自由に選定することができる。
【００３６】
〔第４工程（仕上げ工程）〕
かくして得られた積層コア４には、積層コア４の真円度など所定の形状を整形・保持するための各種成形、バリ取りなどの仕上げ工程が実施され、最終的な積層鉄心１を完成する。なお、バリ取りとは、第３工程によって発生した突出部分、つまり図６（ａ）、（ｂ）に示すように、下層側の舌片５ａ、５ｂの一部が積層コア４の端面から下方へ突出するため、この突出した部分を積極的に除去する工程であって、この突出部分を削除する方法と孔部６に押し込む方法がある。
【００３７】
〔巻線工程〕
上述のようにして完成した積層鉄心１には、図１に示すように、ティースＥ１（突出部２ａ）に固定子コイル（巻線）Ｄを装着し固定子ＧＳとするが、固定子コイルＤに対してかしめ手段３が障害になることはない。つまり、かしめ手段３は、固定子コイルＤが巻かれない連結部Ｅ３（連結部２ｃ）に位置しており、巻線時には勿論のこと、巻線後においても、かしめ手段３が固定子コイルＤと干渉することが一切なく、かしめ手段３によって固定子コイルＤを損傷することがない。
【００３８】
〔実施例１の効果〕
上述した積層鉄心１の構造、製造面での主な効果を以下に要約列挙する。
（１）かしめ手段３は、一対の観音開き状に対向する舌片５ａ、５ｂとその抜き孔をそのまま活用できる単一開口の孔部６とで構成している。したがって、かしめ手段３の占有領域Ｗ全域を最大限に有効活用して舌片５ａ、５ｂを形成することができるため、有効長の長い舌片５ａ、５ｂ（多層にわたってかしめることができるかしめ片）を確保することができる。
かかる構造は、かしめ手段３の占有領域Ｗを最小化し、積層鉄心１の有効磁路面積の犠牲を最小限にとどめることができると共に、打ち抜きによる廃材を少なくして省資源化に貢献でき、さらには積層コア４の溶接工程を省略できるなどの付随効果を期待することができる。
【００３９】
（２）一対の舌片５ａ、５ｂは、先端部分５２の幅が大きいテーパ形状をなしており、孔部６が菱形状をなしているため、かしめ面積の増大とかしめ力の増強を同時に図ることができる。つまり、テーパ相当分だけ舌片５ａ、５ｂの周囲長さが長くなることにより、かしめ面積が増大し、かつ、菱形形状の孔部６は、その両端部分６１が舌片５ａ、５ｂの幅の狭い根元部分５１で形成され、幅が狭くなっているため、この幅の狭い孔部分に幅の広い先端部分５２側が圧入されていくことにより、かしめ力を増強できる。
なお、一対の舌片５ａ、５ｂのテーパ形状は、積極的に形成するものであり、そのテーパ形状の緒元（テーパの角度や最大幅）は、コアシート２の材質、板厚、最終的に確保するかしめ強度等に応じて適宜設定することは勿論である。
【００４０】
（３）一対の舌片５ａ、５ｂは、図５（ｂ）、（ｃ）に示すように、かしめ工程で先端部分５２が根元部分５１より薄く展延されて圧入されている。したがって、上層側のコアシート２の一対の舌片５ａ、５ｂを、下層側のコアシート２の孔部６内に深く傾倒させ、かつ多層にわたって展延させることができる。
【００４１】
（４）巻線を装着する積層鉄心１には、かしめ手段３を、コアシート２の巻線が装着されない箇所に配設している。かしめ手段３を例えば突出部２ａに配設した場合には、巻線とかしめ手段３とが干渉するために、かしめ手段３が巻線を傷つけたり、切断し、絶縁不良や断線事故などの障害を惹起する虞があるが、そのような障害を抑制することができる。
なお、本実施例では、突出部２ａに対応する連結部２ｃにかしめ手段３を配設したが、
溝部２ｂに対応する連結部２ｃも巻線が装着されない非巻線部分であるため、ここに配設してもよい。
【００４２】
（５）特に、積層鉄心１が円筒状の巻形鉄心の場合には、かしめ手段３を円周方向に展開して配設している。かしめ手段３を径方向に展開して配設すると連結部２ｃの径方向寸法の制約からかしめ手段３の占有領域Ｗが小さくなるのに対し、連結部２ｃのスペースを有効活用して占有領域Ｗの大きいかしめ手段３を配設できる。
【００４３】
［実施例２］
この実施例２は、積層鉄心１の製造方法の別の実施例として、とりわけ、かしめ手段３の構成およびそのかしめ方法を工夫したものである。
以下、実施例１と相違する部分を中心にして、図７、８に基づいて説明する。なお、実施例１と同一もしくは均等部分には同一符号を付し、説明を省略する。
【００４４】
図７（ａ）に示すように、かしめ手段３は、コアシート２の連結部２ｃに形成されていて、観音開き状に対向している一対の各舌片５ａ、５ｂが全体として矩形状を呈し、根元部分５１から先端部分５２にかけて幅の大きいテーパ状になっており、その打ち抜き孔で形成される孔部６が、菱形状を呈している。
したがって、かしめ手段３の基本的構造は、実施例１と実質的に同じであるが、実施例２におけるかしめ手段３およびそのかしめ方法は、次のような特徴を有する。    
【００４５】
実施例２の特徴点について、図３に示す第１工程〜第３工程で実施される製造方法と共に説明する。
まず、第１工程（プレス工程）では、一対の舌片５ａ、５ｂおよび孔部６を打ち抜き形成するにあたり、図７（ｂ）に示すように、一対の舌片５ａ、５ｂを、コアシート２の板厚より小さい範囲（板厚の約半分くらい）で半抜き状態にして打ち抜くと共に、先端部分５２で対面するように平坦部分５４を有するＬ字状に折曲形成している。この半抜き加工により、各舌片５ａ、５ｂは、根元部分５１からＬ字状に折曲された平坦部分５４（先端部分５２を含めて）が孔部６から完全に飛び出すことなく、孔部６内に半分収容されている。つまり、上記の半抜き構成は、舌片５ａ、５ｂの先端部分５２を、孔部６内に収納する一手段である。
なお、一対の舌片５ａ、５ｂを半抜き構成とする場合には、後工程（かしめ工程）の関係で、対面する先端部分５２間に所定の間隔Ｖが必要となる分だけ必然的に廃材を要するため、一対の舌片５ａ、５ｂのトータルの最大長さは、かしめ手段３の占有領域Ｗの全長より短くなる。
もっとも、上記の半抜き構成は、一対の舌片５ａ、５ｂを全て完全に打ち抜いた後に半抜き状態に戻す要領で形成することもできる。
【００４６】
そして、第２工程（巻取り工程）で、このコアシート２を、上側のコアシート２の舌片５ａ、５ｂが下側のコアシート２の孔部６に嵌まるようにして、所定回数螺旋状に巻回し、図８（ａ）に示すような原形４ａの積層コア４を作製する。この際、各舌片５ａ、５ｂの先端部分５２が孔部６内に収容されているため、コアシート２を螺旋状に巻く際に、各舌片５ａ、５ｂが各層の巻回作業の障害となるようなことがなく、各層を円滑に巻回することができる。勿論、各舌片５ａ、５ｂが座屈したり、折損することもない。
【００４７】
つづいての第３工程（かしめ工程）では、積層コア４のかしめ手段３周辺をダイ３２ａと押えパンチ３３ａで押え込み、舌片５ａ、５ｂの平坦部分５４（先端部分５２を含む）を、積層コア４の両端面側から圧入パンチ３３ｂと移動ダイ３２ｂとにより挟んだ状態で、圧入パンチ３３ｂおよび移動ダイ３２ｂを下降（積層方向に移動）させながら更に中央パンチ３３ｃを孔部６の中央部分に圧入する。
積層されたコアシート２は、平坦部分５４を挟むことにより重ね部分の浮き上がりを防いで、上下に重なる各コアシート２を密着させることができる。また、平坦部分５４を積層方向に平行移動させることにより、各舌片５ａ、５ｂは、先端部分５２が矢印のごとく押し下げられると共に、特に根元部分５１が引っ張られ薄く展延していくため、多層にわたって深く傾倒すると共に、下層側のかしめ手段３に対し広い面積で圧入する。
【００４８】
かくして、実施例２においても、構造面、製造面で上述の実施例１と実質的に同様な効果を得ることができる。
【００４９】
以上、２つの実施例について詳述したが、積層鉄心１の構造面および製造面で共通する特徴事項を整理し、以下に要約列挙する。
○［積層鉄心１の構造面］
（１）一対の舌片５ａ、５ｂは、各舌片が根元部分５１でコアシート２に繋がっていると共に、先端部分５２が切り離され、折曲形成されることにより観音開き状に対向しており、孔部６は、一対の舌片５ａ、５ｂを相互に画することなく収容する単一の開口として構成されている。
（２）各舌片５ａ、５ｂは、根元部分５１から先端部分５２にかけて幅が大きくなるテーパ形状をなしており、孔部６は、両端部分６１の幅が狭い菱形状をなしている。  
（３）各舌片５ａ、５ｂは、先端部分５２が根元部分５１より薄く展延されて圧入されている（実施例１）。  
（４）各舌片５ａ、５ｂは、根元部分５１が先端部分５２より薄く展延されて圧入されている（実施例２）。  
（５）積層鉄心１に巻線（固定子コイルＤ）が装着される場合には、かしめ手段３は、コアシート２において巻線が装着されない箇所（突出部２ａ）に配設されている。
（６）積層鉄心１が、長尺状のコアシート２を螺旋状に複数巻回、積層して円筒状に形成された巻形鉄心１である場合には、コアシート２が、内周側に巻線（固定子コイルＤ）を装着する複数の突出部２ａ、外周側に突出部２ａを環状に連結する連結部２ｃをそれぞれ有しており、かしめ手段３は、連結部２ｃにおいて円周方向に展開して配設されている。
【００５０】
○［積層鉄心１の製造面］
（１）第１工程において、一対の舌片５ａ、５ｂを相互に画することなく収容する単一の開口としての孔部６を形成し、第３工程で、この孔部６に圧入パンチ３３ｂ、３３ｃのごときかしめ工具を圧入することにより、一対の舌片５ａ、５ｂを、同時に圧延して積層コア４のコアシート２相互間を結合している。
（２）第１工程では、一対の舌片５ａ、５ｂとして、根元部分５１から先端部分５２にかけて幅が大きいテーパ形状の舌片５ａ、５ｂを形成すると共に、孔部６として、菱形状の孔部６を形成し、第３工程では、上層側に位置する舌片５ａ、５ｂの幅の大きい部分を下層側に位置する孔部６の幅の小さい部分に圧入している。
（３）第１工程で長尺状のコアシート２を作製し、第２工程でこの長尺状のコアシート２を螺旋状に複数巻回、積層して円筒状積層コア４を形成する場合には、第２工程の前工程（第１工程）として、舌片５ａ、５ｂの先端部分５２を、孔部６内に収納する工程を具備している。
（４）第１工程において、一対の舌片５ａ、５ｂを打ち抜き形成するにあたり、一対の舌片５ａ、５ｂをコアシート２の板厚より小さい範囲で半抜きもしくは完全に打ち抜いた後、半抜き状態に戻し、先端部分５２で対面するすると共に平坦部分５４を有するＬ字状に折曲形成する工程を具備している（実施例２）。  
（５）第１工程において、一対の舌片５ａ、５ｂに対し、根元部分５１から先端部分５２にかけて湾曲状に折曲された曲がり部５３を形成する工程を具備しており、第３工程では、曲がり部５３を積層コア４の外側一方より内側に押し込みながら先端部分５２を根元部分５１側へ押圧、展延させる工程を具備している（実施例１）。
（６）第３工程は、Ｌ字状の舌片５ａ、５ｂを、その平坦部分５４を積層コア４の両端面側から挟んだ状態で積層コア４の積層方向に沿って圧入することにより、根元部分５１を引張り、展延させる工程を具備している（実施例２）。
（７）第３工程を実施した後の後工程として、舌片５ａ、５ｂの積層コア４の端面から突出する部分を除去する工程を備えている。
【００５１】
［変形例］
以上本発明の製造方法を、自動車用交流発電機（オルタネータ）の固定子鉄心に適用した例について詳述したが、積層鉄心１の適用範囲、かしめ手段３の配置や形状・大きさ・個数は、本発明の精神を逸脱しない範囲で種々変更することができるものである。
【００５２】
例えば、積層鉄心１が上述のごとき巻形鉄心ではなく、電動機の電機子鉄心（回転子鉄心）のごとく、円盤状のコアシートを複数枚積層して積層コアを構成するタイプの積層鉄心にも適用することができる。また、矩形状のコアシートを複数枚積層して積層コアを構成する変圧器などの回転電機以外の積層鉄心にも適用可能である。
【００５３】
上記のような積層鉄心の場合には、コアシート２を巻回して積層することがないため、かしめ手段３は一対の舌片５ａ、５ｂを図４（ｃ）のままの状態、つまり先端部分５２を孔部６から完全に飛び出させたままで用いることができる。
また、上記のような積層鉄心の場合にも、非巻線部分にかしめ手段３を配設することは、巻線の損傷を防ぐために効果的な手段である。
【００５４】
さらに、かしめ手段３は一対の舌片５ａ、５ｂの有効長を長くとれることから、舌片５ａ、５ｂおよび孔部６の形状は、長方形のごとく単なる矩形状であってもよい。
【符号の説明】
【００５５】
１…積層鉄心、２…コアシート、３…かしめ手段、４…積層コア、５…かしめ部、５ａ  、５ｂ…舌片、６…孔部、５１…根元部分、５２…先端部分。
【図１】
0006010976.tif 000002
【図２】
0006010976.tif 000003
【図３】
0006010976.tif 000004
【図４】
0006010976.tif 000005
【図５】
0006010976.tif 000006
【図６】
0006010976.tif 000007
【図７】
0006010976.tif 000008
【図８】
0006010976.tif 000009
【図９】
0006010976.tif 000010